(57)【要約】【課題】自発光型の表示装置を備え、ユーザの入力操作に応じて画素ごとに輝度を制御することによりユーザの利便性を確保しつつ消費電力を低減することができる携帯型情報処理装置を提供する。【解決手段】本発明に係る携帯電話機１０は、操作部１４、マイクロフォン１５、表示部１６、スピーカ１７などのほか、少なくともアンテナ２１、送受信部２２、フレームメモリ２３、記憶部２４および主制御部２５を有する。フレームメモリ２３は、主制御部２５によりデータの書き換えが可能な記憶媒体により構成され、表示部１６に表示される画像フレームを２枚分記憶する。主制御部２５は、この２枚の画像フレームのうち、先にフレームメモリ２３に入力された時系列的に前の画像フレームを前記表示部１６に表示させる。主制御部２５のＣＰＵは、輝度制御プログラムに従って、ユーザの入力操作に応じて自発光型の表示部１６の画素ごとに輝度を制御することによりユーザの利便性を確保しつつ消費電力を低減する処理を実行する。【選択図】  図２
2010224928.tif 000002
【特許請求の範囲】
【請求項１】
自発光型の発光素子で構成された画素により構成された表示部と、
前記表示部に表示される画像フレームを２枚分記憶するフレームメモリと、
前記２枚の画像フレームから１枚の画像フレームを前記表示部に表示させる表示制御部と、
ユーザによる入力操作を受けると、この入力操作に応じて前記フレームメモリに記憶された時系列的に前の画像フレームに連続する時系列的に後の画像フレームを生成する画像生成部と、
前記画像生成部から受けた前記画像フレームを前記フレームメモリに記憶させるフレーム入力部と、
前記フレームメモリに記憶された前記時系列的に後の画像フレームと前記時系列的に前の画像フレームとの差分の画素の情報を取得する差分取得部と、
を備え、
前記表示制御部は、
前記差分の画素の情報に従って前記差分の画素の輝度よりも他の画素の輝度が低くなるよう画素値を設定して前記時系列的に後の画像フレームを前記表示部に表示させることを特徴とする携帯型情報処理装置。
【請求項２】
前記表示制御部は、
前記差分の画素およびこの差分の画素の所定の周辺画素の輝度よりも他の画素の輝度が低くなるように、前記差分の画素およびこの差分の画素の所定の周辺画素が前記第１の発光状態で、他の画素が前記第１の発光状態よりも低輝度である第２の発光状態で、それぞれ発光するよう画素値を設定して前記時系列的に後の画像フレームを前記表示部に表示させる、
請求項１記載の携帯型情報処理装置。
【請求項３】
前記２枚の画像フレーム間で画面スクロールが生じているか否かを判定する画面スクロール判定部と、
前記フレームメモリに記憶された前記時系列的に後の画像フレームに含まれるカーソル画像の表示画素の情報を取得するカーソル画素取得部と、
をさらに備え、
前記表示制御部は、
前記画面スクロール判定部により画面スクロールが生じていると判定されると、前記カーソル画像の表示画素およびこの画素の所定の周辺画素の輝度よりも他の画素の輝度が低くなるよう画素値を設定して前記時系列的に後の画像フレームを前記表示部に表示させる、
請求項１または２に記載の携帯型情報処理装置。
【請求項４】
前記表示制御部により前記他の画素よりも輝度が高くなるよう画素値を設定された画素について、この画素の位置情報と、この画素が前記他の画素よりも輝度が高くなるよう設定された画素値で前記表示部に表示開始された時刻とを関連付けて記憶する記憶部、
をさらに備え、
前記表示制御部は、
前記記憶部を検索し、前記表示開始時刻から所定の時間以内の画素が前記設定された画素値で発光を維持するよう、前記表示開始時刻から所定の時間以内の画素の画素値を設定する、
請求項１ないし３のいずれか１項に記載の携帯型情報処理装置。
【請求項５】
前記表示制御部は、
前記差分の画素およびこの差分の画素の所定の周辺画素が前記第１の発光状態で、前記周辺画素の所定の周辺画素が第３の発光状態で、他の画素が前記第２の発光状態で、それぞれ発光するよう画素値を設定して前記時系列的に後の画像フレームを前記表示部に表示させ、
前記第３の発光状態は、
前記第１の発光状態よりも低輝度かつ前記第２の発光状態より高輝度である、
請求項１ないし４のいずれか１項に記載の携帯型情報処理装置。
【発明の詳細な説明】
【技術分野】
【０００１】
本発明は、表示装置の輝度を制御する携帯型情報処理装置に関する。
【背景技術】
【０００２】
従来、この種の表示装置の輝度を制御する技術に、特開２００７−２１９８３５号公報（特許文献１）に開示された技術がある。
【０００３】
この特許文献１に開示された画面送信装置は、画面表示装置とデータ送受信可能に接続されており、画像表示装置の電池残量の情報にもとづいて画面表示装置としての複数のバックライトを有するバックライト型液晶表示装置（分割バックライト型液晶表示装置）におけるバックライトの輝度をバックライトごとに決定する輝度決定手段と、輝度決定手段により決定された輝度を表す輝度情報を画面表示装置に送信する輝度情報送信手段と、を備え、画像表示装置の電池残量が少なくなった場合に、自動的に明るくすべき部分のディスプレイの輝度を高く、そうでない部分のディスプレイの輝度を低くすることができるようになっている。
【先行技術文献】
【特許文献】
【０００４】
【特許文献１】特開２００７−２１９８３５号公報
【発明の概要】
【発明が解決しようとする課題】
【０００５】
ところで、最近、有機ＥＬ（Electro Luminescence）をはじめとする自発光型の発光素子で構成された画素により構成された表示装置（自発光型表示装置）が利用されるようになってきた。自発光型表示装置は、画素ごとに輝度を制御することが可能であるため、分割バックライト型液晶表示装置に比べ、より細かな画面領域ごとに輝度を制御することができる。一方、駆動電力を二次電池に頼ることが多い携帯電話機などの携帯型の情報処理装置（携帯型情報処理装置）は、使用時の消費電力を低減させることが重要である。そこで、携帯型情報処理装置の消費電力を効率よく低減させる方法として、自発光型表示装置を用いて画素ごとに輝度を制御する方法を考えることができる。特に有機ＥＬは、素子の特性上、使用履歴に応じて素子の劣化が生じるため、素子ごとに輝度を制御することは、消費電力の低減に加えて素子の劣化抑制にもつながる。
【０００６】
しかし、従来の技術は、携帯型情報処理装置に適用することについて考慮されていない。また、特許文献１には、従来の表示装置の輝度制御技術を自発光型の表示装置を備えた携帯型情報処理装置に適用する際に必要な構成について開示されていない。携帯型情報処理装置は、パーソナルコンピュータなどの据え置き型の情報処理装置に比べ、装置全体のサイズを小型化する必要から、装置を覆う筐体内部の空間的な余裕や計算処理能力、駆動電力の余裕（二次電池容量）といった点で大きく劣る。このため、従来の技術を自発光型の表示装置を用いた携帯型情報処理装置に適用することは難しい。
【０００７】
本発明は、上述した事情を考慮してなされたもので、自発光型の表示装置を備え、ユーザの入力操作に応じて画素ごとに輝度を制御することによりユーザの利便性を確保しつつ消費電力を低減することができる携帯型情報処理装置を提供することを目的とする。
【課題を解決するための手段】
【０００８】
本発明に係る携帯型情報処理装置は、上述した課題を解決するために、自発光型の発光素子で構成された画素により構成された表示部と、前記表示部に表示される画像フレームを２枚分記憶するフレームメモリと、前記２枚の画像フレームから一枚の画像フレームを前記表示部に表示させる表示制御部と、ユーザによる入力操作を受けると、この入力操作に応じて前記フレームメモリに記憶された時系列的に前の画像フレームに連続する時系列的に後の画像フレームを生成する画像生成部と、前記画像生成部から受けた前記画像フレームを前記フレームメモリに記憶させるフレーム入力部と、前記フレームメモリに記憶された前記時系列的に後の画像フレームと前記時系列的に前の画像フレームとの差分の画素の情報を取得する差分取得部と、を備え、前記表示制御部は、前記差分の画素の情報に従って前記差分の画素の輝度よりも他の画素の輝度が低くなるよう画素値を設定して前記時系列的に後の画像フレームを前記表示部に表示させることを特徴とするものである。
【発明の効果】
【０００９】
本発明に係る携帯型情報処理装置によれば、自発光型の表示装置を備え、ユーザの入力操作に応じて画素ごとに輝度を制御することによりユーザの利便性を確保しつつ消費電力を低減することができる。
【図面の簡単な説明】
【００１０】
【図１】本発明に係る携帯型情報処理装置の一実施形態を示す概略的な全体構成図。
【図２】携帯電話機の内部構成例を概略的に示すブロック図。
【図３】従来の携帯電話機により表示部に表示される文書作成画像としての電子メール作成画像の一例を示す説明図。
【図４】従来の携帯電話機により表示部に表示されるメニュー選択画像としてのツールメニュー画像の一例を示す説明図。
【図５】主制御部のＣＰＵによる機能実現部の構成例を示す概略的なブロック図。
【図６】画像フレームが主制御部からフレームメモリに入力されて表示部に表示される様子の一例を示す説明図。
【図７】図１に示す携帯電話機のＣＰＵにより、ユーザの入力操作に応じて自発光型の表示部の画素ごとに輝度を制御することによりユーザの利便性を確保しつつ消費電力を低減する際の手順を示すフローチャート。
【図８】本実施形態に係る携帯電話機により表示部に表示される文書作成画像としての電子メール作成画像の一例を示す説明図。
【図９】本実施形態に係る携帯電話機により表示部に表示されるメニュー選択画像としてのツールメニュー画像の一例を示す説明図。
【図１０】図８に示す電子メール作成画像に画面スクロールが生じる様子の一例を示す説明図。
【図１１】図９に示すツールメニュー画像に画面スクロールが生じる様子の一例を示す説明図。
【図１２】本実施形態に係る携帯電話機により表示部に表示される文書作成画像としての電子メール作成画像の他の例を示す説明図。
【発明を実施するための形態】
【００１１】
本発明に係る携帯型情報処理装置の実施の形態について、添付図面を参照して説明する。
【００１２】
図１は、本発明に係る携帯型情報処理装置の一実施形態を示す概略的な全体構成図である。なお、本発明は、自発光型の表示装置を備えた携帯型情報処理装置に適用することができる。本実施形態では、本発明に係る携帯型情報処理装置として、有機ＥＬで構成された画素により構成された表示装置を備えた携帯電話機を用いる場合の一例について示す。図１にはこの携帯電話機が開いている状態における正面からみた外観図を示した。
【００１３】
携帯電話機１０は、第１の筐体１１、第２の筐体１２、および第２の筐体１２に対し第１の筐体１１を開閉自在に連結する連結部１３を有する。
【００１４】
第１の筐体１１には、図１に示すように、操作部１４およびマイクロフォン１５が設けられる。また、一方、第２の筐体１２には、表示部１６およびスピーカ１７が設けられる。
【００１５】
第２の筐体１２は、第１の筐体１１に対して、開閉軸を中心として矢印Ｘの方向に開閉自在となるように、連結部１３（ヒンジ）を介して連結される。第２の筐体１２が開閉軸を中心として矢印Ｘの方向に回転することにより、携帯電話機１０は、開いている状態（図１参照）と、閉じた状態とで位置決めすることができる。
【００１６】
操作部１４は、たとえばキーボード、タッチパネル、テンキー、などの一般的な入力装置により構成され、ユーザの操作に対応した操作入力信号を出力する。また、操作部１４の一部または全部を回転入力部により構成してもよい。回転入力部は、回転操作に応じた信号を出力する入力装置であり、たとえば磁気式ロータリーエンコーダなどにより構成される。この回転入力部は、たとえば回転リングを介してユーザにより操作され、所定の回転量だけ回転するごとに、正逆の回転方向に応じて回転信号を出力する。
【００１７】
図１には、操作部１４が、少なくとも方向指示キー１４ａ、決定キー１４ｂ、英字／カナ／漢字／数字の入力キー（テンキー）１４ｃ、電源のオン／オフキー１４ｄ、電子メール機能の起動キー（以下、メール起動キーという）１４ｅを有する場合の例について示した。
【００１８】
方向指示キー１４ａは、表示部１６に表示されたカーソルをユーザが上下左右に移動させるよう指示したり、表示部１６に表示されたメニューのうちの１つをユーザが選択したりするためのキーである。決定キー１４ｂは、ユーザにより方向指示キー１４ａを介して行われた選択を確定するためなどに用いられる。テンキー１４ｃは、たとえば電子メールの作成画像表示中にユーザによりカーソルの表示位置に文字を入力する際などに用いられる。電源キー１４ｄは携帯電話機１０のシステムを起動および終了するためなどに用いられる。メール起動キー１４ｅは、携帯電話機１０の電子メール機能を起動するためなどに用いられる。
【００１９】
マイクロフォン１５は、ユーザによって入力された音声をディジタル音声信号に変換する。
【００２０】
表示部１６は、たとえば有機ＥＬディスプレイなどの一般的な自発光型の表示出力装置により構成され、電子メールの作成画像や各種メニュー画像のほか、表示部１６の背景画像（壁紙）、壁紙に重畳表示される電池残量や電波強度を概略的に示す画像などの各種アイコンや、着信時に表示される画像および映像などを表示する。以下の説明では、表示部１６として有機ＥＬ素子で構成された画素により構成された表示出力装置（有機ＥＬディスプレイ）を用いる場合の例について示す。
【００２１】
スピーカ１７は、受話音声をはじめとした各種の情報に対応した音声を出力する。
【００２２】
図２は、携帯電話機１０の内部構成例を概略的に示すブロック図である。
【００２３】
携帯電話機１０は、図１に示した操作部１４、マイクロフォン１５、表示部１６、スピーカ１７などのほか、少なくともアンテナ２１、送受信部２２、フレームメモリ２３、記憶部２４および主制御部２５を有する。
【００２４】
アンテナ２１は、図示しない無線基地局との間で通信電波の送受信（無線通信）を行う。
【００２５】
送受信部２２は、無線基地局との間で無線通信用の信号を送受信するための無線回路であり、主制御部２５から出力される通信データを変調し、アンテナ２１を介して送信する。また、アンテナ２１を介して受信した通信データを復調し、主制御部２５へ出力する。通信データには、少なくとも通話のための音声データが含まれる。
【００２６】
フレームメモリ２３は、主制御部２５によりデータの書き換えが可能な記憶媒体により構成され、表示部１６に表示される画像フレームを記憶する。本実施形態では、フレームメモリ２３が少なくとも２枚の画像フレームを記憶可能に構成された場合の例について説明する。主制御部２５は、この２枚の画像フレームから１枚の画像フレームを表示部１６に表示させる。以下の説明では、フレームメモリ２３に記憶された画像フレームのうち、時系列的に前の画像フレームが記憶されるメモリ領域を第１領域と、時系列的に後の画像フレームが記憶されるメモリ領域を第２領域と、それぞれ言うものとする。
【００２７】
なお、本実施形態では、主制御部２５がフレームメモリ２３に記憶された２枚の画像フレームのうち先にフレームメモリ２３に入力された画像フレーム（時系列的に前の画像フレーム）を表示部１６に表示させる場合の例について説明する。この場合、時系列的に後の画像フレームを表示部１６に表示させるためには、時系列的に後の画像フレーム（第２領域の画像フレーム）で時系列的に前の画像フレーム（第１領域の画像フレーム）を上書きすることにより時系列的に後の画像フレームを新たな時系列的に前の画像フレームとすればよい。  記憶部２４は、主制御部２５によりデータの書き換えが可能な不揮発性のメモリであり、たとえば電子メールデータや音楽データなどの各種データを記憶している。また、記憶部２４は、第１の輝度で発光する画素の位置情報と、第１の輝度で発光させた画素を含む画像フレームが表示部１６に表示開始された時刻と、を関連付けて記憶しておく。
【００２８】
主制御部２５は、ＣＰＵ、ＲＡＭおよびＲＯＭをはじめとする記憶媒体などにより構成され、この記憶媒体に記憶されたプログラムに従って、携帯電話機１０の処理全体を制御する。
【００２９】
主制御部２５のＲＡＭは、ＣＰＵが実行するプログラムおよびデータを一時的に格納するワークエリアを提供する。
【００３０】
主制御部２５のＲＯＭをはじめとする記憶媒体は、携帯電話機１０の起動プログラム、輝度制御プログラムや、これらのプログラムを実行するために必要な各種データを記憶する。
【００３１】
なお、ＲＯＭをはじめとする記憶媒体は、磁気的もしくは光学的記録媒体または半導体メモリなどの、ＣＰＵにより読み取り可能な記録媒体を含んだ構成を有し、これら記憶媒体内のプログラムおよびデータの一部または全部は電子ネットワークを介してダウンロードされるように構成してもよい。
【００３２】
主制御部２５のＣＰＵは、ＲＯＭをはじめとする記憶媒体に記憶された輝度制御プログラムおよびこのプログラムの実行のために必要なデータをＲＡＭへロードし、この輝度制御プログラムに従って、ユーザの入力操作に応じて自発光型の表示部１６の画素ごとに輝度を制御することによりユーザの利便性を確保しつつ消費電力を低減する処理を実行する。
【００３３】
図３は、従来の携帯電話機により表示部１６に表示される文書作成画像としての電子メール作成画像の一例を示す説明図である。また、図４は、従来の携帯電話機により表示部１６に表示されるメニュー選択画像としてのツールメニュー画像の一例を示す説明図である。
【００３４】
表示部１６に表示された画像の全領域のうち、ユーザの注目度は、ユーザの入力操作に応じて画素値が変更された画素を含む領域において高いものと推測できる。たとえば、図３に示すように、電子メール本文を作成するための画像（電子メール作成画像）などの文書作成画像が表示部１６に表示されている場合において、この文書作成画像中のカーソル２６の表示位置をユーザが操作部１４の方向指示キー１４ａの下キーを一回押下することにより一行下に移動させるべき旨の指示を携帯電話機１０に与えた場合、主制御部２５はカーソル２６の表示位置が一行下に変更された画像フレームを生成し表示部１６に表示させる処理を行うことになる。また、図４に示すように、メニュー選択画像が表示部１６に表示されている場合において、このメニュー選択画像中のカーソル２６（反転表示された画像）の表示位置をユーザが操作部１４の方向指示キー１４ａの下キーを一回押下することにより一行下に移動させるべき旨の指示を携帯電話機１０に与えた場合もまた、主制御部２５はカーソル２６の表示位置が一行下に変更された画像フレームを生成し表示部１６に表示させる処理を行うことになる。これらの場合、ユーザは、カーソル２６の移動前および移動後の行の文書およびこれらの行の周辺行（たとえば前後１行）の文書に注目しているものと推測できる。
【００３５】
しかし、従来の携帯電話機は、図３および図４に示したように、ユーザにより操作部１４を介した入力操作を受けると、表示部１６の表示画面全体を均一に明るくするようになっている。表示画面全体を明るくしてしまう場合、注目領域以外の領域をも明るくすることになってしまう。
【００３６】
そこで、本実施形態に係る携帯電話機１０の主制御部２５は、輝度制御プログラムに従って、表示部１６の画素ごとに輝度を制御してユーザの入力操作に応じて画素値が変更された画素（および必要に応じてこの画素の所定の周辺画素）の輝度よりも他の画素の輝度を低くしたり消灯したりすることにより、画面の注目領域の視認性を維持することでユーザの利便性を確保しつつ、消費電力を低減する。
【００３７】
図５は、主制御部２５のＣＰＵによる機能実現部の構成例を示す概略的なブロック図である。なお、この機能実現部は、ＣＰＵを用いることなく回路などのハードウエアロジックによって構成してもよい。
【００３８】
図５に示すように、主制御部２５のＣＰＵは、輝度制御プログラムによって、少なくとも画像生成部３１、フレーム入力部３２、画面スクロール判定部３３、差分取得部３４、表示制御部３５、時定数判定部３６、入力判定部３７、終了判定部３８およびカーソル画素取得部３９として機能する。この各部３１〜３９は、ＲＡＭの所要のワークエリアを、データの一時的な格納場所として利用する。
【００３９】
図６は、画像フレームが主制御部２５からフレームメモリ２３に入力されて表示部１６に表示される様子の一例を示す説明図である。
【００４０】
画像生成部３１は、表示部１６に表示させるための画像フレームを生成してフレーム入力部３２に与え、フレーム入力部３２に対してこの生成した画像フレームをフレームメモリ２３の第２領域に記憶させるよう指示する。ユーザが操作部１４を介して現在表示部１６に表示されている画像に対して入力操作を行うと、画像生成部３１は、この表示画像に対する入力操作に応じて新たに画像を生成する。
【００４１】
フレーム入力部３２は、画像生成部３１から受けた画像フレームをフレームメモリ２３の第２領域に記憶させる。また、フレーム入力部３２は、フレームメモリ２３の第２領域の画像フレームを第１領域に上書きコピーすることにより新たな時系列的に前の画像フレームとして記憶させる。
【００４２】
画面スクロール判定部３３は、フレームメモリ２３の第１領域の画像フレーム（時系列的に前の画像フレーム）と第２領域の画像フレーム（時系列的に後の画像フレーム）とを比較し、画面スクロールが生じているか否かを判定する。
【００４３】
たとえば、方向指示キー１４ａの上下キーに対して一行スクロールの機能が割り当てられている場合、カーソル２６が画面の一番下または上に存在し、かつ画面外に画像が存在すると、画面に表示された画像が一行下または上にスクロールする。この場合、カーソル２６位置は画面の一番下または上で変化しないものの、表示部１６を構成する多くの画素の画素値が変更されることになることが多い。この場合、第１領域と第２領域の画像フレームの差分を取得すると、差分がある画素が全画面に渡ってしまうことになる。しかし、ユーザはカーソル２６の表示位置およびカーソル２６の周辺領域に注目していると考えられる。
【００４４】
そこで、本実施形態に係る携帯電話機１０の主制御部２５は、輝度制御プログラムに従って、画面スクロールがあると判定されると、カーソル２６の位置情報を取得し、カーソル２６の表示画素およびこの画素の周辺画素の輝度よりも他の画素の輝度を低くしたり消灯したりすることにより、画面の注目領域の視認性を維持することでユーザの利便性を確保しつつ、消費電力を低減する。
【００４５】
なお、以下の説明では、方向指示キー１４ａの上下キーに対してカーソル２６の一行移動（一行スクロール）の機能が割り当てられている場合について説明するが、方向指示キー１４ａの上下キーに対して半ページスクロールや１ページスクロールの機能が割り当てられていてもよい。
【００４６】
差分取得部３４は、フレームメモリ２３の第２領域と第１領域の画像フレームを比較し、差分がある画素の位置情報を取得し、この差分の画素の情報をＲＡＭや記憶部２４の所要の記憶領域に記憶させる。
【００４７】
表示制御部３５は、差分の画素の情報に従って、差分の画素および必要に応じてこの差分の画素の所定の周辺画素の輝度よりも他の画素の輝度が低くなるよう画素値を設定して、フレーム入力部３２により新たに時系列的に前の画像フレームとされた画像フレームを表示部１６に表示させる。
【００４８】
たとえば差分の画素がカーソル表示画素の移動に伴う画素のみである場合をはじめ、差分の画素数が画面全体の画素数に対して非常に少ない場合など、ユーザの視認性をより向上させるために差分の画素に加えて差分の画素の所定の周辺画素の輝度も変更した方がよい場合がある。以下の説明では、表示制御部３５が、差分の画素を含む行およびこの行の上下１行ずつを構成する画素を第１の輝度（第１の発光状態）で発光させ、他の行を構成する画素を第１の輝度よりも低い第２の輝度（第２の発光状態）で発光させるよう、画像フレームの画素値を設定する場合の例について示す。なお、第１の発光状態および第２の発光状態は、第１の発光状態で全画素を発光させる場合に比べて消費電力を低減させることができる発光状態であればよく、たとえば第１の発光状態および第２の発光状態の一方は点滅状態でもよい。この場合でも第１の発光状態で発光する画素の視認性は画面内で相対的に向上するといえる。
【００４９】
なお、表示制御部３５は、差分取得部３４が差分の画素の情報を取得した後、かつフレーム入力部３２が第２領域の画像フレームを第１領域の画像フレームに上書きする前に、上記差分の画素の画素値の設定を行って第２領域の画像フレーム（時系列的に後の画像フレーム）を表示部１６に表示させてもよい。この場合、フレーム入力部３２は、次の画像フレームを画像生成部３１から受けて第２領域に入力する時までに第２領域の画像フレームの第１領域への上書きを行えばよい。
【００５０】
また、表示制御部３５は、画面スクロール判定部３３により画面スクロールが生じていると判定されると、カーソル２６の表示画素の位置情報に従って、カーソル２６の表示画素および所定の周辺画素の輝度よりも他の画素の輝度が低くなるよう画素値を設定して、フレーム入力部３２により新たに時系列的に前の画像フレームとされた第１領域の画像フレームを表示部１６に表示させる。
【００５１】
なお、表示制御部３５は、画面スクロール判定部３３により画面スクロールが生じていると判定されカーソル２６の表示画素の位置情報が取得された後、かつフレーム入力部３２が第２領域の画像フレームを第１領域の画像フレームに上書きする前に、上記カーソル２６の表示画素の画素値の設定を行って第２領域の画像フレーム（時系列的に後の画像フレーム）を表示部１６に表示させてもよい。この場合も、フレーム入力部３２は、次の画像フレームを画像生成部３１から受けて第２領域に入力する時までに第２領域の画像フレームの第１領域への上書きを行えばよい。
【００５２】
また、表示制御部３５は、第１の輝度で発光する画素の位置情報と、第１の輝度で発光させた画素を含む画像フレームが表示部１６に表示開始された時刻と、を関連付けて記憶部２４に記憶させる。画像生成部３１により新たに画像フレームが生成され、この新たな画像フレームについて第１の輝度で発光させるべき画素が存在し、この画素の位置情報が記憶部２４に記憶されている場合、記憶部２４に関連付けられた表示開始時刻を新たな画像フレームの表示開始時刻で更新するとよい。
【００５３】
さらに、表示制御部３５は、記憶部２４を検索し、第１の輝度での表示開始時刻から所定の時間経過した画素について、この画素の輝度を第２の輝度へ変更する。この第１の輝度から第２の輝度への変更は、直ちに行われてもよいし、所定の時間をかけて１または複数の中間の輝度を経て段階的に行われてもよい。
【００５４】
時定数判定部３６は、記憶部２４を検索し、第１の輝度での表示開始時刻から所定の時間経過した画素があるか否かを判定する。第１の輝度での表示開始時刻から所定の時間経過した画素の輝度は、表示制御部３５により第２の輝度へ変更される。この時定数判定部３６は、第１の輝度での表示開始時刻から所定の時間以内の画素に対し、たとえ変更が無くてもこの所定時間は第１の輝度で発光を維持させるために利用される。たとえ変更が無くても第１の輝度での表示開始時刻から所定時間は第１の輝度で発光を維持させることにより、ユーザによる入力操作が連続的に行われた場合に直ちに輝度が落ちる画素の発生を防ぐことができ、ユーザに対して不快感を与えたり視認性が低下したりすることを防ぐことができる。
【００５５】
入力判定部３７は、画像生成部３１からフレームメモリ２３の第２領域への書込み要求があるか否かを判定する。
【００５６】
終了判定部３８は、ユーザによる最後の入力操作から所定の時間経過したか否かを判定する。
【００５７】
カーソル画素取得部３９は、画面スクロール判定部３３により画面スクロールが生じていると判定されると、カーソル２６の表示画素の位置情報を取得し、このカーソル２６の表示画素の位置情報をＲＡＭや記憶部２４の所要の記憶領域に記憶させる。
【００５８】
次に、本実施形態に係る携帯型情報処理装置の動作の一例について説明する。
【００５９】
図７は、図１に示す携帯電話機１０のＣＰＵにより、ユーザの入力操作に応じて自発光型の表示部１６の画素ごとに輝度を制御することによりユーザの利便性を確保しつつ消費電力を低減する際の手順を示すフローチャートである。図７において、Ｓに数字を付した符号は、フローチャートの各ステップを示す。
【００６０】
また、図８は、本実施形態に係る携帯電話機１０により表示部１６に表示される文書作成画像としての電子メール作成画像の一例を示す説明図であり、図９は本実施形態に係る携帯電話機１０により表示部１６に表示されるメニュー選択画像としてのツールメニュー画像の一例を示す説明図である。
【００６１】
この手順は、図８の左に示す画像または図９の左に示す画像が表示部１６に表示され、この表示された画像のカーソル２６（反転表示された画像）の表示位置をユーザが操作部１４の方向指示キー１４ａの下キーを一回押下することにより一行下に移動させるべき旨の指示を携帯電話機１０に与え、画像生成部３１がカーソル２６の表示位置が一行下に変更された画像フレームを生成してスタートとなる。
【００６２】
なお、あらかじめ図８の左に示す画像または図９の左に示す画像の画像フレームがフレームメモリ２３の第１領域に記憶されているものとする。また、図８の左に示す画像または図９の左に示す画像は、表示制御部３５により、第１領域の画像フレームにもとづいて、カーソル２６の画素を含む行およびこの行の上下１行ずつが第１の輝度で、他の行が第１の輝度よりも低い第２の輝度で、それぞれ発光するよう画素値を設定された画像であるものとする。
【００６３】
まず、ステップＳ１において、フレーム入力部３２は、画像生成部３１から受けた画像フレームをフレームメモリ２３の第２領域に記憶させる。
【００６４】
次に、ステップＳ２において、画面スクロール判定部３３は、フレームメモリ２３の第１領域の画像フレーム（時系列的に前の画像フレーム）と第２領域の画像フレーム（時系列的に後の画像フレーム）とを比較し、画面スクロールが生じているか否かを判定する。画面スクロールが生じている場合は、ステップＳ１１に進む。一方、画面スクロールが生じていない場合は、ステップＳ３に進む。
【００６５】
次に、ステップＳ３において、差分取得部３４は、フレームメモリ２３の第２領域と第１領域の画像フレームを比較し、差分がある画素の位置情報を取得し、この差分の画素の情報をＲＡＭや記憶部２４の所要の記憶領域に記憶させる。たとえば、図８の左の画像の画像フレームと右の画像の画像フレームとの差分の画素は、図８の左でカーソル２６が表示されていた画素および図８の右でカーソル２６が新たに表示される画素となる。
【００６６】
次に、ステップＳ４において、フレーム入力部３２は、第２領域の画像フレームを第１領域に記憶させる。
【００６７】
次に、ステップＳ５において、表示制御部３５は、ＲＡＭや記憶部２４に記憶された差分の画素の情報を読み出し、第１領域の画像フレームについて、差分の画素および必要に応じて所定の周辺画素を第１の輝度で、他の画素を第２の輝度で、それぞれ表示部１６に表示させる。図８の右および図９の右には、表示制御部３５が、第１領域の画像フレームについて、差分の画素を含む行およびこの行の上下１行ずつを第１の輝度で、他の画素を第２の輝度で、それぞれ表示部１６に表示させる場合の例について示した。
【００６８】
次に、ステップＳ６において、表示制御部３５は、第１の輝度で発光する画素の位置情報と、ステップＳ５で第１の輝度で発光させた画素を含む画像フレームが表示部１６に表示開始された時刻と、を関連付けて記憶部２４に記憶させる。
【００６９】
次に、ステップＳ７において、時定数判定部３６は、記憶部２４を検索し、第１の輝度での表示開始時刻から所定の時間経過した画素があるか否かを判定する。所定の時間経過した画素がある場合は、ステップＳ８に進む。一方、所定の時間経過した画素がない場合は、ステップＳ９に進む。
【００７０】
次に、ステップＳ８において、表示制御部３５は、記憶部２４を検索し、第１の輝度での表示開始時刻から所定の時間経過した画素について、この画素の輝度を第２の輝度へ変更する。
【００７１】
なお、ステップＳ６〜ステップＳ８は、実行されなくてもよい。ステップＳ６〜ステップＳ８を実行する場合、第１の輝度での表示開始時刻から所定の時間以内の画素は、たとえ変更が無くてもこの所定時間は第１の輝度で発光を維持することができる。
【００７２】
次に、ステップＳ９において、入力判定部３７は、画像生成部３１からフレームメモリ２３の第２領域への書込み要求があるか否かを判定する。画像生成部３１から第２領域への書込み要求がある場合は、ステップＳ１に戻る。一方、画像生成部３１から第２領域への書込み要求がない場合は、ステップＳ１０に進む。
【００７３】
なお、画像生成部３１から第２領域への書込み要求は、ユーザにより操作部１４を介した入力操作があるごとに行われてもよいし、所定の周期ごとに行われてもよい。所定の周期ごとに行われる場合は、画像生成部３１は第２領域に対して第１領域の画像フレームと全く同じ画像フレームを書込み要求することがある。
【００７４】
次に、ステップＳ１０において、終了判定部３８は、ユーザによる最後の入力操作から所定の時間経過したか否かを判定する。ユーザによる最後の入力操作から所定の時間経過した場合は、現在表示部１６に表示されている画像に対するユーザの注目度が低い場合であると考えられることから、表示制御部３５により表示部１６の全画素を消灯するなどして一連の手順は終了となる。一方、ユーザによる最後の入力操作から所定の時間経過していない場合は、ステップＳ７に戻る。
【００７５】
図１０は、図８に示す電子メール作成画像に画面スクロールが生じる様子の一例を示す説明図である。また、図１１は、図９に示すツールメニュー画像に画面スクロールが生じる様子の一例を示す説明図である。図１０および図１１には、下方向への一行スクロールが生じる場合の一例について示した。
【００７６】
他方、ステップＳ２で画面スクロール判定部３３により画面スクロールが生じていると判定される（図１０および図１１参照）と、ステップＳ１１において、カーソル画素取得部３９は、カーソル２６の表示画素の位置情報を取得し、このカーソル２６の表示画素の位置情報をＲＡＭや記憶部２４の所要の記憶領域に記憶させる。
【００７７】
次に、ステップＳ１２において、フレーム入力部３２は、ステップＳ４と同様に第２領域の画像フレームを第１領域に記憶させる。
【００７８】
次に、ステップＳ１３において、表示制御部３５は、ＲＡＭや記憶部２４に記憶されたカーソル２６の表示画素の位置情報を読み出し、第１領域の画像フレームについて、カーソル２６の表示画素および所定の周辺画素を第１の輝度で、他の画素を第２の輝度で、それぞれ表示部１６に表示させ、ステップＳ６に進む。図１０の右および図１１の右には、表示制御部３５が、第１領域の画像フレームについて、差分の画素を含む行およびこの行の上１行を第１の輝度で、他の画素を第２の輝度で、それぞれ表示部１６に表示させる場合の例について示した。
【００７９】
以上の手順により、ユーザの入力操作に応じて自発光型の表示部１６の画素ごとに輝度を制御することによりユーザの利便性を確保しつつ消費電力を低減することができる。
【００８０】
本実施形態に係る携帯電話機１０は、自発光型の表示部１６を備え、表示部１６の画素ごとに輝度を制御してユーザの入力操作に応じて画素値が変更された画素および必要に応じてこの画素の所定の周辺画素の輝度よりも他の画素の輝度を低くしたり消灯したりすることができる。たとえばユーザの入力操作がカーソル２６の移動を目的とする場合、カーソル２６の周辺領域が注目度の高い領域と推測される。このため、この携帯電話機１０は、注目領域と他の領域とで輝度差をつけることにより注目領域の視認性を維持することでユーザの利便性を確保しつつ、消費電力を低減することができる。
【００８１】
また、本実施形態に係る携帯電話機１０は、画面スクロールがあると判定されると、画面スクロール前後の画像フレームの差分は用いず、カーソル２６の位置情報を取得してカーソル２６の表示画素およびこの画素の周辺画素の輝度よりも他の画素の輝度を低くしたり消灯したりする。このため、画面スクロールにより、前後の画像フレーム間で大幅な画素値の変更があっても、画面の注目領域であるカーソル２６の周辺領域の視認性を維持することでユーザの利便性を確保することができるとともに、消費電力を低減することができる。
【００８２】
なお、本実施形態に係る携帯電話機１０のように、ポインティングデバイスとしてマウスを利用しない携帯型情報処理装置では、カーソル２６の移動距離が方向指示キー１４ａに割り当てられた距離に限定される。このため、ポインティングデバイスとしてマウスを利用しない携帯型情報処理装置では、パーソナルコンピュータをはじめとする一般的な情報処理装置に比べ、非常に簡素な構成で画面スクロールを検出することができる。
【００８３】
さらに、本実施形態に係る携帯電話機１０は、第１の輝度での表示開始時刻から所定の時間以内の画素は、たとえ変更が無くてもこの所定時間は第１の輝度で発光を維持することができる。このため、たとえば、ある画素について第１の輝度での表示開始した後、次のフレームでこの画素に対する変更が生じなかった場合でも、直ちに輝度が落ちることがなく、ユーザに対して不快感を与えたり視認性が低下したりすることを防ぐことができる。
【００８４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【００８５】
たとえば、本発明は、本実施形態で説明した携帯電話機１０のほかにも、様々な携帯型情報処理装置に適用可能であり、たとえばＰＤＡ（Personal Digital Assistant）、携帯型ゲーム機、携帯型音楽再生機、携帯型動画再生機などの携帯型の情報処理装置に適用することが可能である。
【００８６】
また、本実施形態では注目領域の画素を第１の輝度で、他の画素を第１の輝度より低い第２の輝度で、それぞれ発光させる場合の例について説明したが、注目領域の視認性を確保しつつ消費電力を低減できればよく、他の発光形態であっても構わない。
【００８７】
図１２は、本実施形態に係る携帯電話機１０により表示部１６に表示される文書作成画像としての電子メール作成画像の他の例を示す説明図である。
【００８８】
図１２に示すように、たとえば差分の画素および差分の画素を含む行を第１の輝度（第１の発光状態）で、この行の所定の周辺画素（たとえば上下１行など）を第１の輝度より低く第２の輝度（第２の発光状態）より高い第３の輝度（第３の発光状態）で、他の画素を第２の輝度（第２の発光状態）で、それぞれ発光させてもよい。この場合でも、第１の発光状態で全画素を発光させる場合に比べて消費電力を低減させることができる。また、この場合、第３の輝度で発光する画素に対しても第１の輝度で発光する画素同様に所定の時間経過後に第２の輝度へ移行するようにしてもよい。このとき、第１の輝度で発光する画素は、所定の時間経過後に第３の輝度へ移行し、さらに所定の時間経過後に第２の輝度へ移行するようにしてもよい。これらの遅延時間は、図７のステップＳ６〜Ｓ８で説明した方法と同様の方法により、記憶部２４、表示制御部３５および時定数判定部３６を利用して容易に設定することができる。
【００８９】
また、画面スクロールが生じていない場合でも、カーソル２６の表示画素およびこの画素の所定の周辺画素の輝度よりも他の画素の輝度が高くなるようにしてもよい。この場合、画像フレームに差分が生じない場合にも、カーソル２６を含む所定の領域を常に他の領域よりも高輝度とすることができる。
【００９０】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【００９１】
１０  携帯電話機
１１  第１の筐体
１２  第２の筐体
１３  連結部
１４  操作部
１４ａ  方向指示キー
１４ｂ  決定キー
１４ｃ  テンキー
１４ｄ  電源キー
１４ｅ  メール起動キー
１５  マイクロフォン
１６  表示部
１７  スピーカ
２１  アンテナ
２２  送受信部
２３  フレームメモリ
２４  記憶部
２５  主制御部
２６  カーソル
３１  画像生成部
３２  フレーム入力部
３３  画面スクロール判定部
３４  差分取得部
３５  表示制御部
３６  時定数判定部
３７  入力判定部
３８  終了判定部
３９  カーソル画素取得部
【図１】
2010224928.tif 000003
【図２】
2010224928.tif 000004
【図３】
2010224928.tif 000005
【図４】
2010224928.tif 000006
【図５】
2010224928.tif 000007
【図６】
2010224928.tif 000008
【図７】
2010224928.tif 000009
【図８】
2010224928.tif 000010
【図９】
2010224928.tif 000011
【図１０】
2010224928.tif 000012
【図１１】
2010224928.tif 000013
【図１２】
2010224928.tif 000014